(57)【要約】【課題】より正確に画像の動き判定を行い、良好な補間信号を生成可能とする。【解決手段】画像処理装置は、インタレース画像信号をプログレッシブ画像信号に変換する装置であって、補間信号を含む第１のフィールド及びその直前の第２のフィールドにおける画像信号の時間変化量と空間変化量とに基づいて、第１のフィールドにおける隣接ライン間の差分と第２のフィールドにおける隣接ライン間の差分のうちの一方を選択して出力する垂直差分検出手段と、前記垂直差分検出手段の出力を用いて前記入力された画像信号における連続した二つのフィールド間の動きを検出する動き検出手段と、前記動き検出手段の出力に基づいて前記補間信号を生成する補間信号生成手段とを備える。【選択図】      図５
2005045443.tif 000002
【特許請求の範囲】
【請求項１】
入力されたインタレース走査の画像信号を用いて補間信号を生成し、この補間信号を用いてプログレッシブ走査の画像信号に変換する装置であって、
前記補間信号を含む第１のフィールド及びその直前の第２のフィールドにおける画像信号の時間変化量と空間変化量とに基づいて、前記第１のフィールドにおける隣接ライン間の差分と前記第２のフィールドにおける隣接ライン間の差分のうちの一方を選択して出力する垂直差分検出手段と、
前記垂直差分検出手段の出力を用いて前記入力された画像信号における連続した二つのフィールド間の動きを検出する動き検出手段と、
前記動き検出手段の出力に基づいて前記補間信号を生成する補間信号生成手段とを備える画像処理装置。
【請求項２】
入力されたインタレース走査の画像信号を用いて補間信号を生成し、この補間信号を用いてプログレッシブ走査の画像信号に変換する装置であって、
前記入力された画像信号における前記補間信号を含む第１のフィールドの画像信号とその直前の第２のフィールドの画像信号との間の差分値を検出するフィールド差分検出手段と、
前記フィールド差分検出手段の出力に基づいて、前記第１のフィールドにおける隣接ラインの画像信号の間の差分と前記第２のフィールドにおける隣接ラインの画像信号の間の差分のうちの一方を選択して出力する垂直差分検出手段と、
前記垂直差分検出手段の出力を用いて前記入力された画像信号における連続した二つのフィールド間の動きを検出する動き検出手段と、
前記動き検出手段の出力に基づいて前記補間信号を生成する補間信号生成手段とを備える画像処理装置。
【請求項３】
前記フィールド差分検出手段は、前記第１のフィールドにおける隣接ラインの画像信号間の平均値と前記第２のフィールドの画像信号との差分値を求めて出力することを特徴とする請求項２記載の画像処理装置。
【請求項４】
前記垂直差分検出手段は、前記フィールド差分検出手段が所定の閾値よりも大きい場合には前記第１のフィールドにおける隣接ラインの画像信号の間の差分を選択して出力し、前記所定の閾値よりも小さい場合には前記第１のフィールドにおける隣接ラインの画像信号の間の差分と前記第２のフィールドにおける隣接ラインの画像信号の間の差分のうちの最大値を選択して出力することを特徴とする請求項２記載の画像処理装置。
【請求項５】
前記垂直差分検出手段は更に、前記第２のフィールドにおいて前記補間信号のラインに対応した位置のラインを含むＮラインの画像信号の間の値の変化量を検出する領域判定手段を有し、前記領域判定手段の出力と前記フィールド差分検出手段の出力とに基づいて前記第１のフィールドにおける隣接ラインの画像信号の間の差分と前記第２のフィールドにおける隣接ラインの画像信号の間の差分のうちの一方を選択することを特徴とする請求項２記載の画像処理装置。
【請求項６】
前記領域判定手段は論理１または０の２値信号を出力し、前記第２のフィールドにおいて前記補間信号に対応する位置のラインの上下に隣接する二つのラインの画像信号の差分と第１の閾値とを比較し、前記二つのラインの画像信号の差分の方が大きい場合には論理０の信号を出力することを特徴とする請求項５記載の画像処理装置。
【請求項７】
前記領域判定手段は更に、前記前記二つのラインの画像信号の差分が前記第１の閾値よりも小さい場合、更に前記二つのラインの画像信号の平均値と前記補間信号に対応した位置のラインの画像信号との間の差分と第２の閾値とを比較し、前記二つのラインの画像信号の平均値の方が大きい場合には論理０の信号を出力し、前記二つのラインの画像信号の平均値の方が小さい場合には論理１の信号を出力することを特徴とする請求項６記載の画像処理装置。
【請求項８】
前記領域判定手段は更に、前記前記二つのラインの画像信号の差分が前記第１の閾値よりも小さい場合、更に前記第２のフィールドにおいて前記補間信号に対応した位置のラインの画像信号をハイパスフィルタ処理した信号と第２の閾値とを比較し、前記第２の閾値の方が小さい場合には論理０の信号を出力し、前記第２の閾値の方が大きい場合には論理１の信号を出力することを特徴とする請求項６記載の画像処理装置。
【請求項９】
前記垂直差分検出手段は、前記フィールド差分検出回路の出力信号が第３の閾値よりも小さい場合には前記第１のフィールドにおける隣接ラインの画像信号の間の差分と前記第２のフィールドにおける隣接ラインの画像信号の間の差分のうちの最大値を選択して出力し、第３の閾値よりも大きい場合、更に、前記領域判定手段の出力信号が論理０のとき前記第１のフィールドにおける隣接ラインの画像信号の間の差分を選択し、論理１のとき前記第１のフィールドにおける隣接ラインの画像信号の間の差分と前記第２のフィールドにおける隣接ラインの画像信号の間の差分のうちの最大値を選択して出力のうちの最大値を選択して出力することを特徴とする請求項７または８記載の画像処理装置。
【請求項１０】
前記垂直差分検出手段は、前記第１のフィールドの画像信号と前記第２のフィールドの画像信号に対してそれぞれローパスフィルタ処理を施すローパスフィルタを有し、前記ローパスフィルタの出力信号を用いて前記第１のフィールドにおける隣接ライン間の差分と前記第２のフィールドにおける隣接ライン間の差分とを算出することを特徴とする請求項１または２記載の画像処理装置。
【請求項１１】
前記フィールド差分検出手段は、前記第１のフィールドの画像信号と前記第２のフィールドの画像信号に対してそれぞれローパスフィルタ処理を施すローパスフィルタを有し、前記ローパスフィルタの出力信号を用いて前記第１のフィールドの画像信号と前記第２のフィールドの画像信号との間の差分を算出することを特徴とする請求項２記載の画像処理装置。
【発明の詳細な説明】
【０００１】
【発明の属する技術分野】
本発明は画像処理装置に関し、特に画像信号の補間処理に関する。
【０００２】
【従来の技術】
現在、ＮＴＳＣなどの一般的な映像信号方式では、インタレース走査の画像信号を扱っている。
【０００３】
インタレース走査された画像信号では、非常に細かい横縞部分でフリッカが生じるなどの妨害がある。この問題を改善するために、インタレース走査の走査線を補間してプログレッシブ走査の画像信号として出力する技術が知られている。
【０００４】
また、プログレッシブ走査に変換する際に、画像の動きを判定し、動きの判定結果に応じて前フィールドの信号と現フィールドとを合成して補間信号を作成する技術も知られている。この方式では、動き判定結果の精度により補間信号の状態が変化する。
【０００５】
例えば、静止している部分に対して現フィールドの画像信号で補間を行うと細かい横縞は消えてしまい、フリッカとなってしまう。また、動いている部分に対して前フィールドの画像信号で補間を行うと、動きブレが生じ、エッジがギザギザになってしまう。
【０００６】
この動き判定結果の精度を高める技術が特許文献１に記載されている。特許文献１では、前フィールドまたは後フィールドのライン間差信号と、現フィールドのライン間差信号の最大値を垂直エッジ信号として使用し、この垂直エッジ信号を用いて動き判定を行っている。
【０００７】
【特許文献１】
特開平７−１３１６７８号公報
【０００８】
【発明が解決しようとする課題】
しかしながら、前フィールドのライン間差分信号と現フィールドのライン間差分信号の大小関係を比較しただけでは、前フィールドでエッジであったが現フィールドではエッジで無いような動いている領域でも、前フィールドのライン間差分信号が動き判定に使用され、動き判定結果が静止寄りとなってしまい、前フィールドの値で補間が行われ、動きブレを生じてしまう。
【０００９】
つまり、動いている領域においては、前フィールドのライン間差分値は本来動き判定に必要なライン間差分値とは全く無関係の値となってしまい、誤判定を引き起こす原因となってしまう。
【００１０】
本発明は前述の如き問題を解決し、より正確に画像の動き判定を行い、良好な補間信号を生成可能とする処にある。
【００１１】
【課題を解決するための手段】
前述の目的を達成するため、本発明においては、入力されたインタレース走査の画像信号を用いて補間信号を生成し、この補間信号を用いてプログレッシブ走査の画像信号に変換する装置であって、前記補間画像信号を含む第１のフィールド及びその直前の第２のフィールドにおける画像信号の時間変化量と空間変化量とに基づいて、前記第１のフィールドにおける隣接ライン間の差分と前記第２のフィールドにおける隣接ライン間の差分のうちの一方を選択して出力する垂直差分検出手段と、前記垂直差分検出手段の出力を用いて前記入力された画像信号における連続した二つのフィールド間の動きを検出する動き検出手段と、前記動き検出手段の出力に基づいて前記補間信号を生成する補間信号生成手段とを備える画像処理装置が提示される。
【００１２】
【発明の実施の形態】
以下、本発明の実施形態について説明する。
【００１３】
図１は本発明を適用した記録装置の構成を示すブロック図である。
【００１４】
図１において、レンズ１０１を介して入力した被写体像をＣＣＤ１０２により画像信号に変換し、Ａ／Ｄ１０３によりデジタル信号に変換した後カメラ信号処理回路１０４に出力する。カメラ信号処理回路１０４はアパーチャ補正、ガンマ補正、ホワイトバランス等の撮像系の信号処理を行い、変換回路１０５に出力する。変換回路１０５はカメラ信号処理回路１０４から出力されたインタレース走査の画像信号をプログレッシブ走査の画像信号に変換し、符号化回路１０６に出力する。符号化回路１０６は画像信号をＭＰＥＧなど周知の符号化方法により符号化し、記録回路１０７に出力する。記録回路１０７は符号化された画像信号を記録媒体１０８に記録する。
【００１５】
次に、本形態の特徴的な構成である変換回路１０５について説明する。
【００１６】
図２は変換回路１０５の構成を示すブロック図である。
【００１７】
図２において、カメラ信号処理回路１０４からのインタレース走査の動画像信号が順に入力される。ラインメモリ２０１は入力信号を１ライン遅延させて出力する。また、フィールドメモリ２０２は入力された画像信号を１フィールド分蓄積することでインタレース走査の入力信号を１フィール期間遅延させて出力する。
【００１８】
ラインメモリ２０１の出力信号はフィールド間差分検出回路における平均値回路２０３、垂直エッジ検出回路における減算器２１５、及び平均値回路２１８に供給され、フィールドメモリ２０２の出力信号はフィールド間差分検出回路における減算着２０４、垂直エッジ検出回路におけるラインメモリ２０７、減算器２１１、周波数解析回路２１７及び、プログレッシブ変換回路２１９に供給される。
【００１９】
垂直エッジ検出回路では、フィールドメモリ２０２からの出力信号をラインメモリ２０７、２０８によりそれぞれ１ライン期間遅延させている。
【００２０】
以上説明した各信号の関係を図３に示す。
【００２１】
図３のａはラインメモリ２０８の出力信号、ｂはラインメモリ２０７の出力信号、ｃはフィールドメモリ２０２の出力信号、ｄはラインメモリ２０１の出力信号、ｅはインタレース走査の入力信号、ｘは現フィールドにおける補間ラインを示している。
【００２２】
まず、フィールド間差分検出回路の動作について説明する。
【００２３】
ラインメモリ２０１の出力信号とインタレース走査の入力信号が平均値回路２０３に供給される。平均値回路２０３はこれら二つの信号の平均値を演算して出力する。平均値回路２０３の出力信号は現フィールドにおける補間ラインの上下ラインの平均値を示しており、図３における信号ｄと信号ｅの平均値となる。この平均値回路２０３の出力信号とフィールドメモリ２０２の出力信号の差分を減算器２０４により求め、絶対値回路２０５によって絶対値化する。この絶対値回路２０５の出力信号がフィールド間での差分値となる。
【００２４】
次に、垂直エッジ検出回路の動作について説明する。
【００２５】
ラインメモリ２０１の出力信号とインタレース走査の入力信号の差分を減算器２１５によって求め、絶対値回路２１６によって絶対値化する。この絶対値回路２１６の出力信号は現フィールドでのライン間の差分を示しており、図３における信号ｄとｅの差分の絶対値となる。
【００２６】
一方、フィールドメモリ２０２の出力信号をラインメモリ２０７、２０８によりそれぞれ１ライン期間遅延させる。従って、ラインメモリ２０８の出力信号はフィールドメモリ２０２の出力信号に対して２ライン分遅延することになり、ラインメモリ２０７、２０８により、図３における信号ａ、ｂ、ｃという連続する三つのラインの信号が得られる。
【００２７】
そして、ラインメモリ２０７の出力信号とフィールドメモリ２０２の出力信号の差分を減算器２１１により求め、絶対値回路２１２によって絶対値化する。同様に、ラインメモリ２０７の出力信号とラインメモリ２０８の出力信号の差分を減算器２０９により求め、絶対値回路２１０７により絶対値化する。絶対値回路２１０と絶対値回路２１２の出力信号は前フィールドの二つのライン間差分、つまり図３における信号ａと信号ｂとの差分の絶対値と信号ｂと信号ｃとの差分の絶対値となる。
【００２８】
最大値回路２１３はこれら二つのライン間差分の絶対値のうち、大きい方を選択して出力する。制御回路２１４は絶対値回路２１６の出力信号と、最大値回路２１３の出力信号のうちの一方を選択して出力する。
【００２９】
即ち、制御回路２１４は周波数解析回路２１７の出力信号が１の場合は絶対値回路２１６の出力信号を選択し、０の場合は最大値回路２１３の出力信号を選択する。
【００３０】
周波数解析回路２１７は、インタレース走査の入力信号とフィールドメモリ２０２の出力信号より、現フィールドと前フィールドにおける補間ラインの周囲の値の変化量をそれぞれ測定し、この二つの値の差が所定の閾値１より大きければ、動いている領域として論理１を出力する。また、閾値１よりも小さい場合は、現フィールドと前フィールドでの変化量を上下のラインからそれぞれ測定し、この中央値を求め、現フィールドと前フィールドにおける補間ラインの周囲の値の変化量の差分とこの中央値のうちフィールド間の差分の方が大きければ動いている領域として論理１を出力し、小さければ静止している領域として論理０を出力する。
【００３１】
この結果、制御回路２１４は、動いている領域では現フィールドの垂直エッジ検出結果である絶対値回路２１６の出力信号を出力し、静止している領域では現フィールドのエッジ信号と前のフィールドのエッジ信号の最大値、つまり、絶対値回路２１２の出力信号と最大値回路２１０の出力信号の大きい方を選択する。この処理により、動いている領域で前フィールドの垂直エッジの値を使用して動きブレが発生することを防ぎ、静止している領域では細いエッジをエッジとして検出することができる。この制御回路２１４の出力信号が動き判定に使用する垂直エッジ信号となる。
【００３２】
動き判定回路２０６は、絶対値回路２０５より出力されたフィールド間差分検出信号を、制御回路２１４からの垂直エッジ検出信号で除算し、その比を動き判定値として出力する。もし動き判定値が１以上になった場合は１として出力する。このように動き判定値は二つの値の比として多値で求める。
【００３３】
また、ラインメモリ２０１の出力信号とインタレース走査の入力信号が平均値回路２１８に供給される。平均値回路２１８はこれら二つの信号の平均値を求め、この信号をフィールド内補間信号として出力する。つまり、平均値回路２１８の出力は現フィールドにおける補間ラインの上下のラインの平均値となり、図４では信号ｄと信号ｅの平均値となる。
【００３４】
プログレッシブ変換回路２１９はフィールドメモリ２０２からの出力信号、インタレース走査の入力信号及び平均値回路２１８の出力信号を入力し、動き判定回路２０６により出力された動き判定結果に基づいて補間信号を生成してプログレッシブ走査の画像信号に変換する。
【００３５】
即ち、プログレッシブ変換回路２１９は、現フィールドの画像信号について、動き判定回路２０６により出力された動きの程度に応じた割合で平均値回路２１８からの出力信号とフィールドメモリ２０２からの出力信号とを合成して補間信号を生成する。即ち、図３に示した前フィールドにおける補間ラインｘに対応したラインの信号ｂと平均値回路２１８の出力信号とを、動きの程度に応じて合成する。
【００３６】
そして、１ライン毎に入力画像信号と補間信号とを交互に出力することでプログレッシブ走査の画像信号を生成する。
【００３７】
この様に、本形態においては、現フィールドと前フィールドにおける画像信号の変化量に従い、前フィールドにおけるライン間の垂直エッジ検出結果と、現フィールドにおける垂直エッジの検出結果とを選択することで、動いている領域で前フィールドの垂直エッジの値を使用して動きブレが発生することを防ぎ、静止している領域では細いエッジをエッジとして検出することができるので、動き判定の精度を向上することが可能となる。
【００３８】
従って、静止部分の解像感を向上し、静止している細かい横縞状のエッジ部分がフリッカとなることを防ぎながら、動いているエッジが動きブレとなって補間されることを防ぐことができる。
【００３９】
なお、本形態では、周波数解析回路２１７を使用しているが、これ以外にもパターンマッチングのような画像処理でも同様の効果を得ることができる。
【００４０】
次に、本発明の第２の実施形態について説明する。
【００４１】
図４は本形態における変換回路１０５の構成を示すブロック図である。
【００４２】
図４において、図２と同様の構成には同一番号を付してその詳細な説明は省略する。
【００４３】
本形態では、選択回路２１４はフィールド間差分検出回路の出力に基づいて、最大値回路２１３の出力信号と絶対値回路２１６の出力信号のうちの一方を選択して出力する。
【００４４】
即ち、選択回路２１４は、絶対値回路２０５の出力信号が所定の閾値２よりも大きい場合は絶対値回路２１６の出力信号を選択し、閾値２よりも小さい場合には、最大値回路２１３の出力信号と絶対値回路２１６の出力信号のうち大きな方を選択する。なお、この閾値２は予め定められた固定値でも、周波数解析などにより得られる変動値でも良い。
【００４５】
この様に、選択回路２１４は、動いている領域では現フィールドのエッジ信号である絶対値回路２１６の出力信号を選択し、静止している領域では、現フィールドのエッジ信号と前フィールドのエッジ信号のうちの最大値、つまり、絶対値回路２１６の出力信号と最大値回路２１３の出力信号のうちの大きい方を選択する。この処理により、動いている領域で前フィールドの垂直エッジの値を使用して動きブレが発生することを防ぎ、静止している領域では細かいエッジをエッジとして検出することができる。
【００４６】
動き判定回路２０６はこの様に選択された垂直エッジ検出回路からの出力信号を用いて、前述の様に動き判定を行い、結果をプログレッシブ変換回路２１９に出力する。
【００４７】
次に、本発明の第３の実施形態について説明する。
【００４８】
図５は本形態における変換回路１０５の構成を示すブロック図であり、図２、図４と同様の構成には同一番号を付して詳細な説明は省略する。
【００４９】
本形態において、選択回路２１４は領域判定回路２２０の出力信号に基づいて最大値回路２１１の出力信号と絶対値回路２１６の出力信号のうちの一方を選択し出力する。
【００５０】
領域判定回路２２０は、フィールドメモリ２０２の出力信号と、ラインメモリ２０７、２０８の出力信号をそれぞれ入力する。そして、まず、フィールドメモリ２０２の出力信号とラインメモリ２０８の出力信号の差分の絶対値Ａを求め、この値Ａが所定の閾値３よりも大きい場合は論理０を出力する。また、値Ａが閾値３よりも小さい場合は更に、フィールドメモリ２０２の出力信号とラインメモリ２０８の出力信号の平均値Ｂと、ラインメモリ２０７の出力信号との間の差分の絶対値Ｃを求め、この値Ｃが所定の閾値４よりも大きい場合は論理０を出力する。更に、この値Ｃが閾値４よりも小さい場合には論理１を出力する。
【００５１】
次に、選択回路２１４の処理について説明する。
【００５２】
選択回路２１４は、まず、絶対値回路２０５の出力信号と前述の閾値２とを比較し、閾値２よりも小さい場合、最大値回路２１１の出力信号と絶対値回路２１６の出力信号のうちの大きい方を選択して出力する。また、絶対値回路２０５の出力信号が閾値２よりも大きい場合、更に、領域判定回路２２０の出力信号が０ならば絶対値回路２１６の出力信号を選択し、１であった場合には最大値回路２１１の出力信号と絶対値回路２１６の出力信号のうちの大きい方を選択して出力する。
【００５３】
このように、選択回路２１４は、動いている領域では現フィールドのエッジ信号である絶対値回路２１６の出力信号を選択し、静止している領域では、現フィールドのエッジ信号と、前のフィールドのエッジ信号の最大値、つまり、絶対値回路２１６の出力信号と最大値回路２１１の出力信号の大きい方を選択することで、動いている領域で前フィールドの垂直エッジの値を使用して動きブレが発生することを防ぎ、静止している領域では細かいエッジをエッジとして検出することができる。
【００５４】
なお、図５に示した領域判定回路２２０を用いた構成は、図６の様に変更することも可能である。
【００５５】
図６の構成における領域判定回路２２０の処理について説明する。
【００５６】
領域判定回路２２０は、フィールドメモリ２２０の出力信号と、ラインメモリ２０７、２０８の出力信号に加え、ＨＰＦ２２１の出力信号が入力される。ＨＰＦ２２１はフィールドメモリ２０２の出力信号をフィルタ処理し、その高周波成分を抽出して出力する。
【００５７】
まず、フィールドメモリ２０２の出力信号とラインメモリ２０８の出力信号の差分の絶対値Ａを求め、この値Ａが閾値３よりも大きい場合には論理０を出力する。また、値Ａが閾値３よりも小さい場合、ＨＰＦ２２１の出力信号を所定の閾値５と比較し、閾値５よりも小さい場合、論理０を出力する。また、ＨＰＦ２２１の出力信号が閾値５よりも大きい場合、論理１を出力する。
【００５８】
選択回路２１４はこの様に出力された領域判定回路２２０からの出力に基づき、前述と同様に最大値回路２１１の出力信号と絶対値回路２１６の出力信号農地の一方を選択する。
【００５９】
なお、この閾値３、閾値５は予め定められた固定値でも、周波数解析などにより得られる変動値でも良い。また、領域判定回路２２０の処理は、パターンマッチングなどの画像認識によって補間ラインが細かいエッジであるかどうかの判断を行い、細かいエッジならば１を出力し、細かいエッジで無いならば０を出力するような構成にすることもできる。
【００６０】
次に、第４の実施形態について説明する。
【００６１】
図７は本形態における変換回路１０５の構成を示す図であり、フィールド間差分検出回路、垂直エッジ検出回路、動き判定回路２０６、平均値回路２１８及びプログレッシブ変換回路２１９の構成、動作は図５に示したものと同様である。
【００６２】
図７では、フィールド間差分検出回路の入力信号を、ＬＰＦ２２３を通過したインタレース走査の入力信号と、ＬＰＦ２２２を通過したラインメモリ２０１の出力信号と、ＬＰＦ２２４を通過したフィールドメモリ２０２の出力信号とする。また、垂直エッジ検出回路において、ＬＰＦ２２５を介してフィールドメモリ２０２からの出力信号を入力し、インタレース走査の入力信号とラインメモリ２０１の出力信号をそれぞれ、ＬＰＦ２２７、ＬＰＦ２２６を介して入力する。
【００６３】
このようにＬＰＦを介した信号を入力することにより、フィールド間差分検出回路、垂直エッジ検出回路、領域判定回路２２０がノイズの影響によって誤った値を出力してしまうことを防ぐことができる。
【００６４】
なお、本形態ではノイズを抑圧するための処理としてＬＰＦを例に挙げたが、この処理は、メディアンフィルタのようなフィルタでも、コアリングの様な処理でも良い。また、これらのノイズ抑圧のための回路は全てを使用しなくても良い。
【００６５】
【発明の効果】
以上説明したように、動き判定の精度を向上することが可能となる。
【００６６】
従って、静止部分の解像感を向上し、静止している細かい横縞状のエッジ部分がフリッカとなることを防ぎながら、動いているエッジが動きブレとなって補間されることを防ぐことができる。
【図面の簡単な説明】
【図１】本発明が適用される記録装置の構成を示す図である。
【図２】変換回路の構成を示す図である。
【図３】画像信号の様子を示す図である。
【図４】変換回路の他の構成を示す図である。
【図５】変換回路の他の構成を示す図である。
【図６】変換回路の他の構成を示す図である。
【図７】変換回路の他の構成を示す図である。
【図１】
2005045443.tif 000003
【図２】
2005045443.tif 000004
【図３】
2005045443.tif 000005
【図４】
2005045443.tif 000006
【図５】
2005045443.tif 000007
【図６】
2005045443.tif 000008
【図７】
2005045443.tif 000009